(57)【要約】【課題】エアゾール容器に、そのマウンティングカップ内縁部とステムとの間から放出用ガスを充填するときの、ステムガスケットの過度な変形を防止し、当該過度な変形に起因するステムガスケットの亀裂の発生を防止する。【解決手段】ハウジング30の、ステムガスケット20保持用の環状突状部30ｃの内側に、充填モード時のステムガスケット20の底面内側部分20ａをフラット状態で受ける内側平坦面30ｅとこれに続くテーパ面30ｇを形成した。充填モード時のステムガスケット20は、環状開口部Ａから充填される放出用ガスの高圧力で押し下げられるが、その底面内側部分20ａが内側平坦面30ｅやテーパ面30ｇにならってなだらかに撓むので過度に変形することはない。Ｒ１は主たる充填ルート，Ｒ２は副次的な充填ルートである。【選択図】図３
2005271921.tif 000002
【特許請求の範囲】
【請求項１】
エアゾール容器で用いられるステム孔部に対する弁機能を備えたステムガスケットをマウンティングカップとの間に挟持するハウジングにおいて、
前記ステムガスケットの底面の一部を係止するための突状部と、
前記突状部よりも外の前記マウンティングカップの側に、充填モードでない時はその開口部が前記ステムガスケットで閉塞されるように形成された充填用通路部と、
前記環状突状部の内側に、前記ステムガスケットの底面の被係止部分に続く内側部分を受けるために形成された段部と、
前記段部の内側に、充填モード時の前記ステムガスケットのステム孔部側部分の過度の変形を防止するために形成されたテーパ状の受け部と、
を有することを特徴とするエアゾール容器用のハウジング。
【請求項２】
前記テーパ状の受け部は同じ傾きの斜面であってそれの前記段部に対する傾きが３０度から６０度の範囲である、
ことを特徴とする請求項１記載のエアゾール容器用ハウジング。
【請求項３】
請求項１または２記載のハウジングを備え、かつ、放出用ガスおよび内容物を収容したエアゾール式製品。
【発明の詳細な説明】
【技術分野】
【０００１】
本発明は、エアゾール容器用のハウジングに関し、特に内容物放出用ガスなどをマウンティングカップ内縁部とステムとの間の環状開口部から充填するモードでステムガスケットの過度な変形を防止して、当該過度な変形によって起こるステムガスケットの亀裂の発生防止を図ったエアゾール容器用ハウジングおよびこれを備えたエアゾール式製品に関する。
【背景技術】
【０００２】
エアゾール容器に内容物放出用のガスなどを充填する機構としては、下記の特許文献で開示のものがある。
【０００３】
この機構のハウジングには、放出用ガスを充填するための通孔が、マウンティングカップに組み込まれるための大径部分とステムガスケットを保持するための環状突状部との間に形成されている。
【０００４】
ステムを強制的に押し下げた状態で、放出用ガスをステムとマウンティングカップとの間から導入すると、その高圧力でステムガスケットは押し下げられて当該ステムガスケットとマウンティングカップとに隙間が形成されるので、放出用ガスは、当該隙間，通孔を通って容器内部に充填される。
【０００５】
また、このときの高圧力により、ステムガスケットは、ハウジングに支持されていない内側縁部分（開口側部分）が深くおじぎをするような形で落ち込み、環状突状部を境に折れ曲がった状態になりやすい。
【特許文献１】特開平８−１６９４８３号公報
【発明の開示】
【発明が解決しようとする課題】
【０００６】
このように、ステムガスケットは内容物放出用ガスや内容物を充填するときの高圧力で過度に変形することがあり、その結果亀裂が生じ、充填後の放出用ガスや内容物が漏洩するといった問題点があった。
【０００７】
そこで、本発明は、ハウジングに、放出用ガスの充填モード時にステムガスケットの過度な変形を防止するためのテーパ状の受け部などを形成して、当該ステムガスケットの亀裂の発生を防止することを目的とする。
【課題を解決するための手段】
【０００８】
本発明は、以上の課題を次のようにして解決する。
（１）エアゾール容器で用いられるステム孔部（例えば後述の孔部１０ａ）に対する弁機能を備えたステムガスケット（例えば後述のステムガスケット２０）をマウンティングカップ（例えば後述のマウンティングカップ４０）との間に挟持するハウジング（例えば後述のハウジング３０）に、前記ステムガスケットの底面の一部を係止するための突状部（例えば後述の環状突状部３０ｃ）と、前記突状部よりも外の前記マウンティングカップの側に、充填モードでない時はその開口部（例えば後述のスリット３０ｂ）が前記ステムガスケットで閉塞されるように形成された充填用通路部（例えば後述の充填経路Ｒ１）と、前記環状突状部の内側に、前記ステムガスケットの底面の被係止部分に続く内側部分（例えば後述の底面内側部分２０ａ）を受けるために形成された段部（例えば後述の内側平坦面３０ｅ）と、前記段部の内側に、充填モード時の前記ステムガスケットのステム孔部側部分（例えば後述の底面内側部分２０ａ）の過度の変形を防止するために形成されたテーパ状の受け部（例えば後述のテーパ面３０ｇ）と、を備える。
（２）前記（１）において、前記テーパ状の受け部は同じ傾きの斜面であってそれの前記段部に対する傾きを３０度から６０度の範囲とする。
【０００９】
本発明は、このような構成からなるハウジングや、さらにはこれを用いたエアゾール式製品を対象としている。
【発明の効果】
【００１０】
本発明では、このように、ステムガスケットは充填モードで段部からテーパ状の受け部にならってなだらかな曲面状に撓み、下方側へ過度に変形することがないので、ステムガスケットの亀裂の発生を防止することができる。
【発明を実施するための最良の形態】
【００１１】
図１乃至図４を用いて本発明を実施するための最良の形態を説明する。
【００１２】
なお、充填対象としては放出用ガスの外に内容物もありえるが、以下の記載では単なる説明の便宜上、放出用ガスの充填を前提とする。
【００１３】
図１はハウジング単体の説明図、図２乃至図４は図１のハウジングを備えたバルブ機構の説明図であり、図２は静止モード，図３は放出用ガスの充填モード，図４は放出用ガス充填時のステムガスケットの変形状態の拡大図，をそれぞれ示している。
【００１４】
これらの図において、
１０はステム，１０ａは内容物放出用の孔部，１０ｂは内容物放出モードで後述のステムガスケット２０を押圧して内容物放出用の孔部１０ａを開くための肩部，１０ｃは内容物放出用の縦通路，１０ｄは静止モードで後述のステムガスケット２０の内側底面域に密着する環状面部分，
２０はステムガスケット，２０ａは当該ステムガスケットの底面内側部分，
３０はハウジング，３０ａは後述のマウンティングカップ４０に組み込まれる大径部分，３０ｂは当該大径部分に複数形成され放出用ガスを充填するための縦方向のスリット，３０ｃはステムガスケット２０を後述のマウンティングカップ４０との間に係止するための環状突状部，３０ｄは当該環状突状部の外側に形成されて大径部分３０ａへといたる環状の外側平坦面，３０ｅは当該環状突状部の内側に形成され充填モードでステムガスケット２０の底面内側部分２０ａの対応環状域をフラットな状態で受ける環状の内側平坦面，３０ｆは当該ハウジングの内周面６ヶ所に設けられてステム１０の上下動をガイドする縦方向の突出部，３０ｇは当該突出部の上端部分であり充填モードでステムガスケット２０の底面内側部分２０ａを支えてその過度な変形を防止するためのテーパ面，３０ｈは当該突出部同士の間に形成された内容物通過用の縦方向の溝部，
４０はマウンティングカップ，
５０はステム１０を上方向に付勢するスプリング，
６０は吸上管，
７０は容器本体，
Ａはステム１０とマウンティングカップ４０との間に常時形成されてステム１０の上下動を許容するとともに放出用ガスを充填するための環状開口部，
Ｂは静止モードでテーパ面３０ｇとステムガスケット２０との間に形成されて作動モードおよび充填モードでステムガスケット２０が変形するのに必要な空間部，
Ｃは充填モードで放出用ガスの導入圧力により生じるステムガスケット２０とマウンティングカップ４０との隙間，
Ｄは充填モードで放出用ガスの導入圧力により生じるステムガスケット２０とステム１０の肩部１０ｂとの隙間，
Ｅは充填モードおよび作動モードでステム１０の下動により生じる当該ステムとステムガスケット２０との空間部，
Ｒ１は隙間Ｃを通過してスリット３０ｂから容器本体７０に充填される放出用ガスの主たる充填経路，
Ｒ２は隙間Ｄおよび空間部Ｅを通過してハウジング３０の内部空間から容器本体７０に充填される放出用ガスの副次的な充填経路，
Ｗ１は内側平坦面３０ｅの径方向の幅，
Ｗ２は突出部３０ｆの径方向の幅，
θはテーパ面３０ｇの内側平坦面３０ｅに対する傾斜角度，
をそれぞれ示している。
【００１５】
ここで、テーパ面３０ｇの内側平坦面３０ｅに対する傾斜角度θは、３０度から６０度が好ましい。なお、図示のハウジング３０のＷ１は０．２ｍｍ，Ｗ２は０．４５ｍｍ、θは４５度である。
【００１６】
本発明の特徴は、ハウジング３０に、放出用ガスの充填モードでステムガスケット２０の底面内側部分２０ａの環状突状部３０ｃ隣接域をフラットな状態で受ける内側平坦面３０ｅおよび当該隣接域に続く内縁側域をゆるやかな曲面状で支えるためのテーパ面３０ｇを形成したことである。
【００１７】
したがって、ステムガスケット２０は充填モードで内側平坦面３０ｅからテーパ面３０ｇにならったかたちでなだらかに撓み、下方へ折れ曲がるような変形をすることはないので、ステムガスケットの、充填モード時の過度な変形による亀裂の発生が防止される。
【００１８】
図１に示すように、ハウジング３０の上側部分には、外側から順に、放出用ガス充填用のスリット３０ｂが形成された大径部分３０ａ，外側平坦面３０ｄ，ステムガスケット２０の底面に食い込んでこれをマウンティングカップ４０との間で把持するための環状突状部３０ｃが設けられている。
【００１９】
そして、環状突状部３０ｃの内側には、充填モードでステムガスケット２０の底面内側部分２０ａをフラットな状態で受ける内側平坦面３０ｅが設けられている。
【００２０】
さらに、その内側のハウジング３０の内周面には６つの突出部３０ｆが等間隔に設けられ、当該突出部の上端部には充填モードで撓むステムガスケット２０の底面内側部分２０ａを支えるためのテーパ面３０ｇが形成されている。なお、突出部３０ｆ同士の間は内容物通過用の溝部３０ｈとなっている。
【００２１】
内側平坦面３０ｅおよびテーパ面３０ｇは、
・作動モードで孔部１０ａを開状態にするようにステムガスケット２０が下方へ変形したり、充填モードで放出用ガスの通路を形成するようにステムガスケット２０が下方へ変形するために必要な空間部分Ｂを確保した上で、
・充填モードでステムガスケット２０が折れ曲がることのないようにその底面内側部分２０ａの下方への変形を支える、
態様で形成されている。
【００２２】
図２の静止モードでは、ステム１０はスプリング５０の付勢力により上動してその環状面部分１０ｄはステムガスケット２０の底面内側部分２０ａに密着し、ステムガスケット２０は孔部１０ａを閉塞している。
【００２３】
このとき、ステムガスケット２０の上面部分はマウンティングカップ４０の内側部分に密着して両者に隙間Ｃは生じていないので、環状孔部Ａと充填用スリット３０ｂを連通する充填経路Ｒ１は形成されない。
【００２４】
また、隙間Ｄも生じていないので、環状開口部Ａとハウジング３０の内部空間とを連通する充填経路Ｒ２も形成されない。
【００２５】
静止モード時のステムガスケット２０の底面はハウジング３０の外側平坦面３０ｄおよび内側平坦面３０ｅから離間している。なお、当該底面が外側平坦面３０ｄや内側平坦面３０ｅと接するように設定してもよい。
【００２６】
図３および図４に示すように充填モードでは、内容物を予め容器本体７０に収納した上で、ステム１０を強制的に押し下げ、放出用ガスを環状開口部Ａから高圧力で導入する。
【００２７】
この高圧力によりステムガスケット２０は下方に押し下げられ、当該ステムガスケットの上面部分とマウンティングカップ４０の内側部分とに隙間Ｃが生じるので、放出用ガスは主に、当該隙間−スリット３０ｂを通過する経路Ｒ１によって容器本体７０に充填される。
【００２８】
また、ステム１０の下動により環状面部分１０ｄがステムガスケット２０の底面内側部分２０ａから離れて空間部Ｅが生じ、放出用ガスの充填圧力によりステムガスケット２０が押し下げられて隙間Ｄも生じる。
【００２９】
したがって、放出用ガスの一部は、隙間Ｄ−空間部分Ｅ−ステム１０と突出部３０ｆとの間や溝部３０ｈを通過する経路Ｒ２によっても容器本体７０に充填される。
【００３０】
このとき、ハウジング３０の内側平坦面３０ｅおよびこれに続くテーパ面３０ｇがステムガスケット２０の底面内側部分２０ａを受けるので、当該ステムガスケットは、内側平坦面３０ｅからテーパ面３０ｇにならってなだらかに撓み、過度に変形することはない。
【００３１】
したがって、充填モード時の、ステムガスケット２０の亀裂の発生は防止される。
【００３２】
なお、放出用ガスの充填終了後、ステム１０の押し下げをやめると、当該ステムはスプリング５０の付勢により上動する。また、ステムガスケット２０も（ステム１０の押圧から開放されるので）復帰して再び孔部１０ａに密着し、図１の静止モードに戻る。
【００３３】
静止モードでは、容器本体７０に充填済の放出用ガスや内容物は孔部１０ａを通過することができないので外部空間に放出されることはない。このとき、前述のように隙間Ｃや隙間Ｄも形成されないので、これらが漏洩することもない。
【００３４】
ステム１０をスプリング５０に抗して押圧した作動モード（図示省略）では、その肩部１０ｂがステムガスケット２０を押圧して孔部１０ａを開く。
【００３５】
これにより、容器本体７０の内容物は放出用ガスの作用で、吸上管６０からハウジング３０の内部空間に流入し、ステム１０と突出部３０ｆとの間や溝部３０ｈ−空間部Ｅ−孔部１０ａ−縦通路１０ｃを通過して外部空間に放出される。
【００３６】
なお、このとき内側平坦面３０ｅやテーパ面３０ｇは、前述のように、孔部１０ａを開状態に設定するために必要なステムガスケット２０の変形を妨害することはない。
【００３７】
ハウジング３０の内周面に設ける突出部３０ｆの数は任意であり、その上端部に充填モードでステムガスケット２０の底面内側部分２０ａを支えるためのテーパ面３０ｇが形成される態様であればよい。
【００３８】
以上のエアゾール容器用のハウジングを備えた製品としては、洗浄剤，清掃剤，制汗剤，忌避剤（殺虫剤），接着剤，塗料，食品，医薬品，医薬部外品，冷却剤，筋肉消炎剤，化粧品，頭髪用品，染毛剤，洗濯のり，消火器などがある。
【００３９】
エアゾール容器に収納する内容物は、例えば、粉状物，油成分，アルコール類，界面活性剤，高分子化合物，各種用途に応じた有効成分などである。
【００４０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩などおよびこれらの混合物などである。
【００４１】
油成分としては、シリコーン油，パーム油，ユーカリ油，ツバキ油，オリーブ油，ホホバ油，パラフィン油，ミリスチン酸およびパルミチン酸，ステアリン酸，リノール酸，リノレン酸などのグリセリドなどを用いる。
【００４２】
アルコール類としては、エタノールなどの１価の低級アルコール，ラウリルアルコールなどの１価の高級アルコール，エチレングリコールなどの多価アルコールなどを用いる。
【００４３】
界面活性剤としては、ラウリル硫酸ナトリウム等のアニオン性界面活性剤、ポリオキシエチレンオレイルエーテル等の非イオン性界面活性剤、ラウリルジメチルアミノ酢酸ベタイン等の両性界面活性剤、塩化アルキルトリメチルアンモニウム等のカチオン性界面活性剤などを用いる。
【００４４】
高分子化合物としては、メチルセルロース，ゼラチン，デンプン，カゼインなどを用いる。
【００４５】
各種用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４６】
さらに、上記内容物以外の、懸濁剤，紫外線吸収剤，乳化剤，保湿剤，酸化防止剤、金属イオン封鎖剤なども用いることができる。
【００４７】
内容物放出用のガスとしては、窒素，炭酸ガスなどの圧縮ガス、液化石油ガス，ジメチルエーテル，フロロカーボンなどの液化ガスを用いる。
【図面の簡単な説明】
【００４８】
【図１】本発明のハウジング単体の説明図である。
【図２】本発明の図１のハウジングを備えたバルブ機構であり、静止モードを示す説明図である。
【図３】本発明の図１のハウジングを備えたバルブ機構であり、放出用ガスの充填モードを示す説明図である。
【図４】本発明の図１のハウジングを備えたバルブ機構であり、放出用ガス充填時のステムガスケットの変形状態（拡大図）を示す説明図である。
【符号の説明】
【００４９】
１０：ステム
１０ａ：孔部
１０ｂ：肩部
１０ｃ：縦通路
１０ｄ：環状面部分
２０：ステムガスケット
２０ａ：底面内側部分
３０：ハウジング
３０ａ：大径部分
３０ｂ：スリット
３０ｃ：環状突状部
３０ｄ：外側平坦面
３０ｅ：内側平坦面
３０ｆ：突出部
３０ｇ：テーパ面
３０ｈ：溝部
４０：マウンティングカップ
５０：スプリング
６０：吸上管
７０：容器本体
Ａ：ステム１０とマウンティングカップ４０との間の環状開口部
Ｂ：ステムガスケット２０が変形するのに必要な空間部
Ｃ：ステムガスケット２０とマウンティングカップ４０との隙間
Ｄ：ステムガスケット２０とステム１０の肩部１０ｂとの隙間
Ｅ：ステム１０とステムガスケット２０との空間部
Ｒ１：放出用ガスの主たる充填経路
Ｒ２：放出用ガスの副次的な充填経路
Ｗ１：内側平坦面３０ｅの径方向の幅
Ｗ２：突出部３０ｆの径方向の幅
θ：テーパ面３０ｇの内側平坦面３０ｅに対する傾斜角度
【図１】
2005271921.tif 000003
【図２】
2005271921.tif 000004
【図３】
2005271921.tif 000005
【図４】
2005271921.tif 000006